(57)【要約】耳側にある第１の端部（１１）と、電子音響変換器（１０）とを有するアクティブ騒音補正装置用の変換器システムが提供される。電子音響変換器（１０）は、振動板システム（２０）と磁石システム（５０）とを有し、振動板システム（２０）の中央領域（３０）が磁石システム（５０）に向かって湾曲し、逆碗状部（３０）となっている。センサマイクロホン（４０）は、第１の端部と、振動板システム（２０）の湾曲領域（３０）との間の空間に配置されている。
2009515389.tif 000002
【特許請求の範囲】
【請求項１】
耳側にある第１の端部（１１）と、
振動板システム（２０）と磁石システム（５０）を有し、振動板システム（２０）の中心領域（３０）が磁石システム（５０）に向かって湾曲した逆碗状部（３０）である、電子音響再生変換器（１０）と、
前記第１の端部と振動板システム（２０）の湾曲領域（３０）との間の空間に配置された、干渉雑音を記録するためのセンサマイクロホン（４０）と、
を備えたアクティブ騒音補正装置用の電子音響変換器システム。
【請求項２】
センサマイクロホン（４０）の方向の作用が、変換器システムの第１の端部（１１）に向かって方向付けられている請求項１に記載された変換器システム。
【請求項３】
センサマイクロホン（４０）と逆碗状部（３０）との間の間隔が、逆碗状部（３０）の最大偏差においてもセンサマイクロホン（４０）と逆碗状部（３０）が接触しないような間隔である請求項１または２に記載の変換器システム。
【請求項４】
請求項１〜３のいずれか一に記載の変換器システムを備えたアクティブ騒音補正装置。
【請求項５】
請求項１〜３のいずれか一に記載の変換器システム、及び／又は請求項４に記載のアクティブ騒音補正装置を備えたヘッドセット。
【請求項６】
請求項１〜３のいずれか一に記載の変換器システム、及び／又は請求項４に記載のアクティブ騒音補正装置を備えたヘッドホン。
【発明の詳細な説明】
【技術分野】
【０００１】
本発明は、アクティブ騒音補正装置用の電子音響変換器システムと、そうした変換器システムを有するヘッドセットに関する。
【背景技術】
【０００２】
従来のアクティブ騒音補正装置は、電子音響変換器と着用者の耳との間、詳細には可及的に着用者の耳の近くに配置されるセンサマイクロホンを備えた再生変換器システムを有する。センサマイクロホンにより記録された音はアクティブ騒音補正に使用される。
【０００３】
ドイツ公報ＤＥ１８７６０５４号には、一部が碗状に湾曲した電子音響変換器用の振動板が開示されている。
【０００４】
米国特許公報ＵＳ５１８２７７４号には、アクティブ騒音補正装置を備えたヘッドセットが開示されている。この場合、センサマイクロホンは、マイクロホンが機械的に突出するように変換器システムと着用者の耳との間に配置され、ある程度の負傷の危険性が生じ得る。
【０００５】
そこで、本発明の目的は、負傷の危険性が低減された変換器システム及び／又はアクティブ騒音補正装置を提供することである。
【発明の開示】
【０００６】
前記目的は、請求項１に記載されたアクティブ騒音補正装置用の変換器システム、及び請求項６に記載されたヘッドセットによって達成される。
【０００７】
そこで、耳側にある第１の端部と、電子音響再生変換器とを有する、アクティブ騒音補正装置用の変換器システムが提供される。電子音響変換器は、振動板システムと磁石システムを有し、振動板システムの中央領域は、磁石システムに向かって湾曲しており、逆碗状となっている。センサマイクロホンは、振動板システムの湾曲部の領域に配置されている。
【０００８】
本発明はアクティブ騒音補正装置用の変換器システムに関し、（電子）音響変換器は、逆碗状部を有し、センサマイクロホンは、耳側から見ると電子音響変換器、すなわち振動板システムの前に配置されている。つまり、センサマイクロホンは、振動板システムに対して軸方向に間隔を空けて配置されている。このことは、具体的に、アクティブ騒音補正装置の構造的な高さを低減し、損傷の危険性が低減されるという利点を有する。このように、センサマイクロホンは、逆碗状部と着用者の耳との間の領域に配置される。そのような配置は、センサマイクロホンを、着用者の耳のすぐ近くに配置できることを意味する。その場合、音響変換器の碗状部は、（軸方向に間隔を空けられた）磁石システムに向かって湾曲するような形状を有する。したがって、センサマイクロホンを、逆碗状部の配置によって得られ、振動板の内側への湾曲によって得られる自由空間内に取り付けることができる。
【０００９】
本発明のさらなる形態が、添付の特許請求の範囲に記載されている。
【発明を実施するための最良の形態】
【００１０】
以下、添付図面を参照しながら、より詳細に本発明を説明する。
【００１１】
図１は、本発明に係る電子音響再生変換器の断面図を示す。
【００１２】
図１は、電子音響変換器システムの断面図を示す。具体的に、この図では、例えば、アクティブ騒音補正装置において使用することができる、音声信号を再生するための電子音響再生変換器１０が示されている。電子音響変換器１０は、耳側にある第１の端部と、耳から遠く離れた第２の端部１２と、逆碗状（逆カップ）部３０を備えた振動板システム２０とを有する。逆碗状部３０を配置することで振動板システムの内側への湾曲によって得られる自由空間において（換言すると、逆碗状部３０と、第１端部１１又は着用者の耳との間の空間において）、雑音又は音声を記録するためのセンサマイクロホン４０が提供される。センサマイクロホン４０は、アクティブ騒音の音声補正のために必要とされる。また、変換器１０は、耳から遠い部分、すなわち第２の端部１２において、磁石システム５０と開口部６０を有する。
【００１３】
アクティブ騒音補正装置は、欧州公報ＥＰ０７３７０２２Ｂ１号の特許出願明細書に開示されており、その開示は、本発明の開示の目的のために参照される。特に、図１〜図３及び段落［００１９］〜［００２８］を参照しながら説明される、再生変換器及びセンサマイクロホンを備えたアクティブ騒音補正装置の原理の開示が、本発明の開示の目的のために参照される。補正回路は、図３に示されるとともに、段落［００２８］に記載されており、これもまた、本発明の開示の目的のために参照される。
【００１４】
耳から遠い第２の端部にある穴または開口部６０は、逆碗状部３０とハウジング１０との間の空間内の空気が外へ逃げることができるようにする機能を有する。センサマイクロホン４０と逆碗状部３０との間の間隔は、最大偏差でもマイクロホン４０と逆碗状部３０が衝突しない程度に可及的に小さくすることが好ましい。センサマイクロホン４０と逆碗状部３０との間の間隔を可及的に小さくすることで経過（輸送）時間が低減され、これにより、アクティブ騒音補正に必要な、記録された音の１８０度の位相シフトをより良好に達成できる。再生変換器は、ノイズ補正された音声信号を再生する機能を有する。ノイズ補正は、欧州公報ＥＰ０７３７０２２Ｂ１号の図３及び段落［００２８］に記載されているように、センサマイクロホンにより記録された雑音又は音声に基づいてなされる。
【００１５】
したがって、センサマイクロホン４０は、逆碗状部３０の前に真っ直ぐ配置される。この点において、センサマイクロホン４０は共鳴装置（図示せず）により保持されることが好ましい。
【００１６】
図１を参照して記載されたように逆碗状部３０とセンサマイクロホン４０を配置することにより、電子音響変換器１０と、センサマイクロホン、すなわちアクティブ騒音の音声補正のための測定用マイクロホン４０との間の伝送距離が大幅に低減される。
【００１７】
図１は、耳に対して略垂直なセンサマイクロホン４０の方向を示すが、センサマイクロホンは、他のあらゆる角度に配置することもできる。
【００１８】
磁石システム５０は、図１に示すように外側に配置されることが好ましく、これにより、逆碗状部３０が磁石システムとの間に間隔を有する。これに代えて、磁石システムが内側に配置されるようにしてもよい。しかしながら、その場合、磁石は、逆碗状部３０の湾曲に対応する形状を有することが好ましい。磁石システムの成形は、音響の寸法決定のために利用することができる。
【図面の簡単な説明】
【００１９】
【図１】本発明に係る電子音響再生変換器の断面図。
【符号の説明】
【００２０】
１０：電子音響再生変換器、１１：第１の端部、１２：第２の端部、２０：振動板システム、３０：逆碗状部、４０：センサマイクロホン、５０：磁石システム、３０：穴または開口部。
【図１】
2009515389.tif 000003
【国際調査報告】
2009515389.tif 000004
2009515389.tif 000005
2009515389.tif 000006
2009515389.tif 000007